(57)【特許請求の範囲】
【請求項１】
交換機能を有する主装置、該主装置に接続された複数台の内線電話機を具備し、前記内線電話機はそれぞれ音声又は呼出し信号で着信を知らせる呼出し手段を有し、前記内線電話機間で相互に呼出し可能な電話装置において、
前記主装置に発呼側内線電話機の音声レベルを検出する音声レベル検出手段と、前記各内線電話機の呼出し手段にその出力する前記音声又は呼出し信号の音量を指令する音量指令信号を送出する音量指令手段を設け、
前記各内線電話機の呼出し手段には前記音量指令手段からの音量指令信号に従って該呼出し手段から発する前記音声又は呼出し信号の音量を設定する音量設定手段を設け、
前記内線電話機から発呼があり、前記主装置が発呼相手の内線電話機に接続した場合、前記音声レベル検出手段は発呼側電話機からの音声レベルを検出し、前記音量指令手段は該検出した音声レベルに従って前記音量指令信号を前記発呼相手の内線電話機の呼出し手段に送出し、前記音量設定手段は該音量指令信号に応じ音量を設定し、該呼出し手段から該音量指令信号に従った音量の前記音声又は呼出し信号を発することを特徴とする電話装置。
【請求項２】
前記主装置の音声レベル検出手段に代え発呼側内線電話機の音声パターンを認識する音声パターン認識手段を用い、前記音量指令手段は該認識した音声パターンに応じた前記音量指令信号を送出することを特徴とする請求項１に記載の電話装置。
【発明の詳細な説明】
【０００１】
【産業上の利用分野】
本発明は主装置に複数の内線電話機が接続された電話装置に関し、発呼側電話機から受信側電話機の呼出し音の音量調整ができる機能を具備する電話装置に関するものである。
【０００２】
【従来技術】
図２は従来のこの種の電話装置のブロック構成例を示す図である。図示するように、従来の電話装置は主装置１及び該主装置１に接続された複数台の電話機２−１、２−２、２−３・・・を具備し、局線は主装置１に接続されている。
【０００３】
主装置１はスイッチ回路１−１、ＣＰＵ（中央処理装置）１−３、局線処理部１−４を具備し、局線は局線処理部１−４に接続される。受信の場合、局線処理部１−４は局線との接続処理を行ない、受信信号をスイッチ回路１−１へ出力し、スイッチ回路１−１は所定の電話機と接続し、呼出し信号器を鳴動させ、受信者がオフフックすることにより通話が可能になる。送信の場合、該電話機より発信した発呼信号はスイッチ回路１−１を介して局線処理部１−４へ出力され、局線処理部１−４は空いている局線を選択し局と接続する。ＣＰＵ１−３は局線処理部１−４及び、スイッチ回路１−１から信号を受けて局線処理部１−４及び、スイッチ回路１−１を制御する。
【０００４】
また、主装置１は接続されている電話機２−１、２−２、２−３、・・・間の内線呼出しを行ない電話交換する機能を有する。電話機２−１は制御部２−１−１、信号回路２−１−２、増幅器２−１−３、マイク２−１−４、スピ−カ２−１−５、操作部２−１−６、送受話器２−１−７、呼出し信号器２−１−８を具備する。他の電話機２−２、２−３、・・・も電話機２−１と同様に構成されている。
【０００５】
次に内線電話呼出し手順を説明する。例えば、電話機２−１から電話機２−２へ電話をかける場合、操作部２−１−６で電話機２−２の内線番号を発信する。制御部２−１−１では信号を処理し、信号回路２−１−２を介しスイッチ回路１−１へ送信しＣＰＵ１−３へ送る。ＣＰＵ１−３はスイッチ回路１−１を制御し、電話機２−１の信号を電話機２−２へ出力する。電話機２−２では、呼出し信号器２−２−８で呼出し信号音を発生するか又は、音声を電話機２のスピ−カ２−２−５を通して送出する。どちらの方法で呼び出すかは発呼側の電話機２−１で特番をダイヤルすることにより（例えば０ダイヤルをする）切替ることが出来る。電話機２−２ではマイク２−２−４を使用するか、または、送受話器２−１−７をオフフックすることにより通話することが可能になる。
【０００６】
電話機２−２のスピ−カ２−２−５の音量及び、呼出し信号器２−２−８の音量はそれぞれ受信側で受信環境や受信者の好みによって手動でボリュ−ム設定される。
【０００７】
【発明が解決しようとする課題】
しかしながら、上記説明の内線呼出し機能では受信側のスピ−カの音量及び、呼出し信号器の音量は、受信側で受信環境や受信者の好みによって手動でボリュウム設定される。従って、ボリュ−ムが最小に設定されていた場合、または、受信者が離れた場所に居た場合、呼出し音声や呼出し信号音が小さくて受信者が呼出し信号を聞き取ることができず受信者の呼出しが不能になると云う問題があった。
【０００８】
本発明は上述の点に鑑みてなされたもので、上記問題点を除去し、発呼側電話機で受信側（発呼相手側）電話機の呼出し音の音量を設定できる電話装置を提供することを目的とする。
【０００９】
【課題を解決するための手段】
上記課題を解決するため本発明は、交換機能を有する主装置、該主装置に接続された複数台の内線電話機を具備し、内線電話機はそれぞれ音声又は呼出し信号で着信を知らせる呼出し手段を有し、内線電話機間で相互に呼出し可能な電話装置において、主装置に発呼側内線電話機の音声レベルを検出する音声レベル検出手段と、各内線電話機の呼出し手段にその出力する前記音声又は呼出し信号の音量を指令する音量指令信号を送出する音量指令手段を設け、各内線電話機の呼出し手段には音量指令手段からの音量指令信号に従って該呼出し手段から発する音声又は呼出し信号の音量を設定する音量設定手段を設け、内線電話機から発呼があり、主装置が発呼相手の内線電話機に接続した場合、音声レベル検出手段は発呼側電話機からの音声レベルを検出し、音量指令手段は該検出した音声レベルに従って前記音量指令信号を発呼相手の内線電話機の呼出し手段に送出し、音量設定手段は該音量指令信号に応じ音量を設定し、該呼出し手段から該音量指令信号に従った音量の音声又は呼出し信号を発することを特徴とする。
【００１０】
また、前記主装置の音声レベル検出手段に代えて発呼側内線電話機の音声パターンを認識する音声パターン認識手段を用い、音量指令手段は該認識した音声パターンに応じた音量指令信号を送出することを特徴とする。
【００１１】
【作用】
本発明では、主装置に音声レベル検出手段又は音声パターン認識手段を設け、各電話機の呼出し手段に音量設定手段を設けた事により、発呼側からの受信側電話機の呼出し音の音量を設定することができるので、発呼に対して受信側から応答がない場合、発呼者は格別の操作を行なうことなく発呼側より受信側の呼出し音の音量を上げて呼び出すことができ、従来のように呼出し音の音量が小さくて受信者呼出し不能になるということは少なくなる。
【００１２】
【実施例】
以下、本発明の一実施例を図面に基づいて詳細に説明する。図１は本発明の電話装置の構成例を示すブロック図である。図示するように、主装置１は従来例と同様、スイッチ回路１−１、ＣＰＵ１−３、局線処理部１−４を具備し、スイッチ回路１−１とＣＰＵ１−３の間に音声レベル検出器１−２（又は音声パタ−ン認識器）を接続している。電話機２−１は従来例と同様、制御部２−１−１、信号回路２−１−２、増幅器２−１−３、マイク２−１−４、スピーカ２−１−５、操作部２−１−６、送受話器２−１−７及び呼出し信号器２−１−８を具備し、呼出し信号器２−１−８のボリュ−ム設定を可能にしたものである。なお、他の電話機２−２、２−３、・・・・も同一構成である。また、図２と同じ符号は従来例と同じ機能を有するもので、ここでその説明は省略する。
【００１３】
内線電話呼出し手順は従来例で説明した通りなので説明は省略する。次に呼出し音声又は、信号音の音量調整操作を説明する。例えば、発呼側の電話機２−１のマイク２−１−４又は、送受話器２−１−７で受けた音声信号は信号回路２−１−２から、主装置１のスイッチ回路１−１を通して音声レベル検出器１−２へ伝送される。音声レベル検出器１−２では音声レベルを検出し、その検出信号をＣＰＵ１−３へ出力する。ＣＰＵ１−３では入力された音声レベルに応じて音量調整用のコマンドを作成し、コマンドをスイッチ回路１−１を通して受信側（発呼相手）の電話機２−２へ出力する。
【００１４】
受信側の電話機２−２ではコマンドを信号回路２−２−２を介して制御部２−２−１に送り、制御部２−２−１ではコマンドに従って増幅器２−２−３又は、呼出し信号器２−２−８のボリュ−ム設定を行ない呼出し音の音量調整を行なう。
【００１５】
上記説明は音声レベル検出器１−２で発呼側の音声レベルを検出し、音声レベルによって受信側の呼出し音の音量調整を行なうが、音声レベル検出器１−２の代りに音声パタ−ン認識手段を設け、所定の音声パタ−ン（例えば”オ−イ”と呼ぶ）を認識することによってＣＰＵ１−３は音量調整用のコマンドを作成し、コマンドをスイッチ回路１−１を通して電話機２−２へ出力し、受信側の呼出し音の音量調整してもよい。
【００１６】
上記説明したように発呼側から受信側の呼出し音声又は、呼出し信号の音量を調整可能にしたことにより、発呼に対して受信側から応答がない場合、発呼側電話機より受信側電話機の呼出し音量を上げて呼び出すことが出来るので、従来のように呼出し音の音量が小さくて受信者呼出し不能になることは少なくなる。
【００１７】
【発明の効果】
以上説明したように本発明によれば、主装置に音声レベル検出手段又は音声パターン認識手段を設け、各電話機の呼出し手段に音量設定手段を設けた事により、発呼側からも受信側電話機の呼出し音の音量を設定することができるので、発呼に対して受信側から応答がない場合、発呼者は格別の操作を行なうことなく発呼側より受信側の呼出し音の音量を上げて呼び出すことができ、従来のように呼出し音の音量が小さくて受信者呼出し不能になるということは少なくなるという優れた効果が期待される。
【図面の簡単な説明】
【図１】本発明の電話装置のブロック構成例を示す図である。
【図２】従来の電話装置のブロック構成例を示す図である。
【符号の説明】
１          主装置
１−１      スイッチ回路
１−２      音声レベル検出器
１−３      ＣＰＵ（中央処理装置）
１−４      局線処理部
２−１      電話機
２−１−１  制御部
２−１−２  信号回路
２−１−３  増幅器
２−１−４  マイク
２−１−５  スピ−カ
２−１−６  操作部
２−１−７  送受話器
２−１−８  呼出し信号器
２−２      電話機
２−２−１  制御部
２−２−２  信号回路
２−２−３  増幅器
２−２−４  マイク
２−２−５  スピ−カ
２−２−６  操作部
２−２−７  送受話器
２−２−８  呼出し信号器
２−３      電話機
【図１】
0003631528.tif 000002
【図２】
0003631528.tif 000003